(57)【特許請求の範囲】
【請求項１】
中央に貫通孔が形成された板状の基部と、この基部につながるように上記基部の周方向に等間隔に設けられ、リボンテープを掛け止めるための３以上の奇数個で構成された掛止部と、を備えた飾りリボン作製具であって、
上記各掛止部は、上記基部の周囲から外方へ向けて略二等辺三角形状に突出させられており、
上記基部には、一の上記掛止部から他のどの上記掛止部にリボンテープを掛けるかを案内するための案内線が設けられており、
上記案内線は、一の上記掛止部の上記周方向における一方の基端角部から、上記一の上記掛止部に対して上記貫通孔を挟んで略対向して位置する、他の上記掛止部の上記周方向における他方の基端角部、に向かう線分を含み、
上記他の上記掛止部の上記周方向における他方の基端角部は、上記一の上記掛止部に対して上記貫通孔を挟んで略対向して位置することを特徴とする、飾りリボン作製具。
【請求項２】
上記案内線は、上記基部の厚み方向に形成された凹部または凸部の境界線として表れている、請求項１に記載の飾りリボン作製具。
【請求項３】
上記基部および掛止部は、その厚み方向への曲げ変形とその復元とが可能に弾性を有している、請求項１または２に記載の飾りリボン作製具。
【請求項４】
上記基部および掛止部は、弾性変形可能な樹脂によって一体成形されている、請求項３に記載の飾りリボン作製具。
【請求項５】
上記掛止部は、上記基部の外周方向に向かうほど厚みが小さくなるように傾斜させられている、請求項３または４に記載の飾りリボン作製具。
【発明の詳細な説明】
【技術分野】
【０００１】
本発明は、リボンテープから飾りリボンを作製するための飾りリボン作製具に関する。
【背景技術】
【０００２】
ギフト用品などに取り付けて優れた装飾効果を発揮するものとして、いわゆるリボンフラワーなどの飾りリボンが知られている。この飾りリボンは、たとえばリボンテープを少しずつずらしながら折り返していくことにより、すべて手作業によって作製することが可能である。しかし、その作業自体が煩わしく、また、形態を整えながら飾りリボンを作製するのは困難である。
【０００３】
これに対し、手作業による飾りリボンの作製を補助するための飾りリボン作製具が提案されている（たとえば、特許文献１を参照）。特許文献１に開示された飾りリボン作製具は、同文献の第１図〜第４図を参照するとよく分かるように、リボンテープを掛け止めるための奇数個の三角形状の張出部（掛止部）を有する硬質樹脂材料からなる固定板と、この固定板に当接させられ、所定範囲で相対回動可能な可動板と、この可動板との間に固定板を挟み付けるためのツマミとを備えている。また、張出部は、たとえば薄肉部を形成するなどにより折れ曲り自在とされており、固定板と可動板との相対位置関係によって、折れ曲りを許容する状態と折れ曲りを許容しない状態とに切換え可能となっている。さらに、可動板には、リボンテープを突き通して固定するための止ピンが可動板の厚み方向に突出するように取り付けられている。
【０００４】
上記構成の飾りリボン作製具を用いて飾りリボンを作製する際には、リボンテープを、掛止部に巻き掛けるとともに止ピンに突き通す。そして、リボンテープが掛けられる掛止部を順次ずらしながら、リボンテープの掛止部への掛け止め操作と止ピンへの突き通し操作を繰り返し行う。このような作業によって、形態の整った飾りリボンを比較的簡単に作製することができる。
【０００５】
しかしながら、上記従来の飾りリボン作製具は、部品点数が多いことから構造がやや複雑であり、これに伴って取り扱い方法もやや複雑となっている。また止ピンにリボンテープを突き通す作業も煩わしいものであり、多数の飾りリボンを作製する場合には、作業者の負担も大きくなってしまう。
【０００６】
【特許文献１】実公昭６２−３３０３４号公報
【発明の開示】
【発明が解決しようとする課題】
【０００７】
本発明は、このような事情のもとで考え出されたものであって、構造を簡素化しつつ、簡単かつ効率よく飾りリボンを作製することができる飾りリボン作製具を提供することを課題とする。
【課題を解決するための手段】
【０００８】
上記の課題を解決するため、本発明では、次の技術的手段を講じている。
【０００９】
本発明によって提供される飾りリボン作製具は、中央に貫通孔が形成された板状の基部と、この基部につながるように上記基部の周方向に等間隔に設けられ、リボンテープを掛け止めるための３以上の奇数個で構成された掛止部と、を備えた飾りリボン作製具であって、上記各掛止部は、上記基部の周囲から外方へ向けて略二等辺三角形状に突出させられ
ており、上記基部には、一の上記掛止部から他のどの上記掛止部にリボンテープを掛けるかを案内するための案内線が設けられており、上記案内線は、一の上記掛止部の上記周方向における一方の基端角部から、上記一の上記掛止部に対して上記貫通孔を挟んで略対向して位置する、他の上記掛止部の上記周方向における他方の基端角部、に向かう線分を含み、上記他の上記掛止部の上記周方向における他方の基端角部は、上記一の上記掛止部に対して上記貫通孔を挟んで略対向して位置することを特徴としている。
【００１０】
このような構成の飾りリボン作製具を使用して飾りリボンを作製する際には、まず基部に設けられた案内線を表側に向けておき、リボンテープを掛止部の表側を通るようにして掛け止めた後に、基部の裏側を通して次の掛止部に掛け止めるといった操作を繰り返し行う。このとき、案内線によって、次にどの掛止部に掛ければよいかが一見して把握することができる。したがって、本発明の飾りリボン作製具によれば、リボンテープを掛止部に手際よく掛けていくことが可能となり、飾りリボンを簡単かつ効率よく作製するこができる。
【００１１】
また、上記構成によれば、一の掛止部にリボンテープを掛け止めた後に、当該リボンテープの縁を掛止部の基端角部から案内線に沿わせることにより、リボンテープを、基部の中央を通過させつつ次の掛止部に適切に導くことができる。したがって、基部の裏側を通るリボンテープは、常に基部の中央に設けられた貫通孔を塞ぐように通ることになる。このため、たとえば貫通孔に針で糸を通してリボンテープが重なった部分を縫いとめることによって、飾りリボン作製具に巻き付けられたリボンテープ全体の形態を保つことがきる。
【００１２】
本発明の好ましい実施の形態においては、上記案内線は、上記基部の厚み方向に形成された凹部または凸部の境界線として表れている。このような構成によれば、たとえば印刷などの手法によって案内線を表す場合と異なり、飾りリボン作製具の使用にともなって、案内線が薄れる、あるいは消えてしまうといった不都合が生じることはない。
【００１３】
本発明の好ましい実施の形態においては、上記基部および掛止部は、その厚み方向への曲げ変形とその復元とが可能に弾性を有している。より好ましくは、上記基部および掛止部は、弾性変形可能な樹脂によって一体成形されている。このような構成によれば、掛止部に掛け止められた状態のリボンテープを飾りリボン作製具から容易に取り外すことができる。
【００１４】
本発明の好ましい実施の形態においては、上記掛止部は、上記基部の外周方向に向かうほど厚みが小さくなるように傾斜させられている。このような構成によれば、掛止部は、先端側に向かうほど変形し易くなるので、リボンテープを飾リボン作製具からよりスムーズに取り外すことができる。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態について、図面を参照して具体的に説明する。
【００１７】
図１は、本発明に係る飾りリボン作製具の一例を示す平面図である。本実施形態の飾リボン作製具Ａ１は、板状の基部１と、この基部１の周囲に設けられた奇数個（本実施形態では７個）の掛止部２Ａ，２Ｂ，２Ｃ，２Ｄ，２Ｅ，２Ｆ，２Ｇとを備えて構成されており、たとえば、リボンテープからリボンフラワーなどの飾リボンを作製するために用いるものである。この飾りリボン作製具Ａ１は、たとえばＥＶＡ樹脂やポリウレタン、その他エラストマー樹脂類などによって一体成形されたものである。飾リボン作製具Ａ１の厚みは、最も厚い部分で３〜４ｍｍ程度とされている。かかる構成により、飾りリボン作製具Ａ１は、その厚み方向に適度な力を加えることによって弾性変形（曲げ変形）可能である。
【００１８】
基部１は、所定の厚みを有する板状とされており、その中央には厚み方向に貫通する貫通孔１１が形成されている。掛止部２Ａ〜２Ｇは、基部１の周囲から外方へ略二等辺三角形状に突出させられており、基部１につながるように基部１の周囲において周方向に等間隔に設けられている。また、図２によく表れているように、掛止部２Ａ〜２Ｇは、基部１の外周方向に向かうほど厚みが小さくなるように傾斜させられている。
【００１９】
基部１の少なくとも一方の面には、案内線１ａ〜１ｇが設けられている。案内線１ａ〜１ｇは、一の掛止部２Ａ〜２Ｇから他のどの掛止部２Ａ〜２Ｇにリボンテープを掛けるかを案内するためのものである。具体的には、たとえば案内線１ａに着目すると、この案内線１ａは、掛止部２Ａに掛け止めたリボンテープを、掛止部２Ａに対して貫通孔１１を挟んで略対向して位置する次に掛け止めるべき掛止部２Ｅに案内するものである。案内線１ａは、掛止部２Ａにおいて基部１の周方向における一方の基端角部２Ａａ（図１における時計回り方向の前側）から、掛止部２Ｅにおいて基部１の周方向における他方の基端角部２Ｅｂ（図１における時計回り方向の後側）に向かう線分である。また、案内線１ａは、基部１の厚み方向に形成された凹凸の境界線として表れている。本実施形態では、案内線１ａは、図３から理解できるように、案内線１ａに対して図１の図中左側に凹部が形成されている。他の案内線１ｂ〜１ｇについても、案内線１ａと同様の構成とされている。
【００２０】
なお、掛止部２Ａの一方の基端角部２Ａａは、案内線１ａとの関係では案内線１ａの起点となっているが、案内線１ｅとの関係では、掛止部２Ａに隣接する掛止部２Ｂの他方の基端角部２Ｂｂにも相当しており、この基端角部２Ｂｂは、掛止部２Ｅから掛止部２Ｂに向かう案内線１ｅの終点となっている。すなわち、基端角部２Ａａ（２Ｂｂ）から２本の案内線１ａ，１ｅが延びる格好になっているが、本実施形態では、このうちの案内線１ａについては、基端角部２Ａａを起点として一連に延びる部分の長さが、他方の案内線１ｅのうち基端角部２Ａａを起点として一連に延びる部分の長さよりも大きくなっており、容易に識別できるようになっている。
【００２１】
次に、上述の如く構成された飾りリボン作製具Ａ１を用いて、リボンテープＲから飾りリボンＴを作製する方法について、図４〜図９を参照して説明する。
【００２２】
まず、図４に示すように、案内線１ａ〜１ｇが表側に向く姿勢にしておき、リボンテープＲの一端を、基部１の貫通孔１１に対して裏側から表側に向けて通す。次に、図５に示すように、リボンテープＲを、掛止部２の他方の基端角部２Ａｂから表側に折り返し、掛止部２Ａの表側を時計回り方向へ通して基端角部２Ａａにおいて折り返すように掛け止めた後に、基部１の裏側を通して次の掛止部２Ｅの基端角部２Ｅｂから表側に折り返す。ここで、基端角部２Ａａにおいて折り返したリボンテープＲの縁を当該基端角部２Ａａから案内線１ａに沿わせることにより、リボンテープＲを、基部１の中央の貫通孔１１を塞ぐように通過させつつ次の掛止部２Ｅに適切に導くことができる。なお、図５および後述する図６においては、基部１の裏側を通るリボンテープＲの縁を点線で表している。
【００２３】
次いで、掛止部２Ａにリボンテープを掛け止めたのと同様の方法で、掛止部２Ｅ、掛止部２Ｂ、掛止部２Ｆ、掛止部２Ｃ、掛止部２Ｇ、掛止部２Ｄの順に、順次リボンテープＲを掛け止める。このようにしてリボンテープＲを掛止部２Ａ〜２Ｇに対して１周するように巻き付け、再度、掛止部２Ａに掛け止めていく。この操作を繰り返し、図６に示すように、掛止部２Ａ〜２Ｇに対してリボンテープＲを２〜３周重ねて巻き付ける。このとき、基部１の裏側を通るリボンテープＲについては、そのリボンテープＲの縁を案内線１ａ〜１ｇに沿わせることによって、常に基部１の中央の貫通孔１１を塞ぐように重なっている。
【００２４】
次いで、図７に示すように、貫通孔１１を塞ぐように重なっているリボンテープＲに針で糸を通して縫いとめる。これで飾りリボン作製具Ａ１に巻き付けられたリボンテープＲ全体の形態が保持される。
【００２５】
次いで、リボンテープＲを飾りリボン作製具Ａ１から取り外す。ここで、飾リボン作製具Ａ１は、上述したように厚み方向に弾性変形（曲げ変形）可能である。このため、たとえば掛止部２Ａ〜２Ｇに巻き付けられたリボンテープＲを順次図７の紙面奥方に引っ張ることにより、図８に示すように、掛止部２Ａ（２Ｂ〜２Ｇ）が一時的に曲げ変形する。これにより、掛止部２Ａ〜２Ｇに掛け止められたリボンテープＲを飾りリボン作製具Ａ１から容易に取り外すことができる。また、掛止部２Ａ〜２Ｇは、図２を参照して上述したように、基部１の外周方向に向かうほど厚みが小さくなるように傾斜させられている。このため、掛止部２Ａ〜２Ｇは、先端側に向かうほど変形しやすく、その結果、リボンテープＲを飾りリボン作製具Ａ１からよりスムーズに取り外すことができる。
【００２６】
次いで、リボンテープＲの重なっている部分をほぐし、形を整えることにより、たとえば図９に示すように、飾りリボンＴを得ることができる。
【００２７】
本実施形態の飾りリボン作製具Ａ１を用いて飾りリボンＴを作製する際には、案内線１ａ〜１ｇによって、リボンテープＲを次にどの掛止部に掛ければよいかが一見して把握することができる。このとき、リボンテープＲは基部１の裏側を通して次の掛止部に到達するので、案内線１ａ〜１ｇがリボンテープＲに覆われることもなく、案内線１ａ〜１ｇは常に視認することができる。したがって、飾りリボン作製具Ａ１を用いれば、リボンテープＲを掛止部２Ａ〜２Ｇに手際よく掛けていくことが可能となり、飾りリボンＴを簡単かつ効率よく作製することができる。
【００２８】
本実施形態においては、案内線１ａ〜１ｇは、基部１の厚み方向に形成された凹部または凸部の境界線として表れている。このような構成によれば、たとえば印刷などの手法によって案内線を表す場合と異なり、飾りリボン作製具Ａ１の使用にともなって、案内線１ａ〜１ｇが薄れる、あるいは消えてしまうといった不都合が生じることはない。
【００２９】
図１０および図１１は、本発明に係る飾りリボン作製具の他の例を示している。なお、図１０および図１１において、上記実施形態と同一または類似の要素には、上記実施形態と同一の符号を付しており、適宜説明を省略する。
【００３０】
図１０および図１１に示された飾りリボン作製具Ａ２は、３個の掛止部２Ａ，２Ｂ，２Ｃを備える点、およびこれに伴って種々の設計変更が施されている点において、上記実施形態の飾りリボン作製具Ａ１と異なる。飾りリボン作製具Ａ２においては、掛止部２Ａ〜２Ｃに対応するように案内線１ａ〜１ｃが設けられている。また、図１１を参照すると理解できるように、基部１は、掛止部２Ａ〜２Ｃに対して厚み方向に凸状とされている。飾りリボン作製具Ａ２を使用する際には、この基部１の凸状部分にリボンテープの縁が引っ掛かることになり、各掛止部２Ａ〜２Ｃに対するリボンテープの掛け止め位置を規定することができる。
【００３１】
以上、本発明の実施形態を説明したが、本発明の技術的範囲は上記した実施形態に限定されるものではない。本発明に係る飾りリボン作製具の各部の具体的な構成は、発明の思想から逸脱しない範囲内で種々な変更が可能である。
【００３２】
たとえば、掛止部としては、上記実施形態のように３個または７個に限定されるものではなく、５個あるいは９個以上の奇数個で構成されていてもよい。
【図面の簡単な説明】
【００３３】
【図１】本発明に係る飾りリボン作製具の一例を示す平面図である。
【図２】図１のＩＩ−ＩＩ線に沿う断面図である。
【図３】図１のＩＩＩ−ＩＩＩ線に沿う断面図である。
【図４】図１に示す飾りリボン作製具の使用例の一部の手順を説明するための図である。
【図５】図１に示す飾りリボン作製具の使用例の一部の手順を説明するための図である。
【図６】図１に示す飾りリボン作製具の使用例の一部の手順を説明するための図である。
【図７】図１に示す飾りリボン作製具の使用例の一部の手順を説明するための図である。
【図８】図１に示す飾りリボン作製具の使用例の一部の手順を説明するための図である。
【図９】図１に示す飾りリボン作製具を使用して作製された飾りリボンの一例を示す斜視図である。
【図１０】本発明に係る飾りリボン作製具の他の例を示す平面図である。
【図１１】図１０のＸＩ−ＸＩ線に沿う断面図である。
【符号の説明】
【００３４】
Ａ１，Ａ２      飾りリボン作製具
Ｒ        リボンテープ
Ｔ        飾りリボン
１        基部
１ａ〜１ｇ    案内線
１１      貫通孔
２Ａ〜２Ｇ    掛止部
２Ａａ，    （一方の）基端角部
２Ａｂ，２Ｂｂ，２Ｅｂ    （他方の）基端角部
【要約】
【課題】構造を簡素化しつつ、簡単かつ効率よく飾りリボンを作製することができる飾りリボン作製具を提供する。
【解決手段】本発明の飾りリボン作製具Ａ１は、中央に貫通孔１１が形成された板状の基部１と、この基部１につながるように基部１の周方向に等間隔に設けられ、リボンテープを掛け止めるため３以上の奇数個で構成された掛止部２Ａ〜２Ｇと、を備える。各掛止部２Ａ〜２Ｇは、基部１の周囲から外方へ向けて略二等辺三角形状に突出させられている。基部１には、一の掛止部２Ａ〜２Ｇから他のどの掛止部２Ａ〜２Ｇにリボンテープを掛けるかを案内するための案内線１ａ〜１ｇが設けられている。
【選択図】図１【図１】
0004280299.tif 000002
【図２】
0004280299.tif 000003
【図３】
0004280299.tif 000004
【図４】
0004280299.tif 000005
【図５】
0004280299.tif 000006
【図６】
0004280299.tif 000007
【図７】
0004280299.tif 000008
【図８】
0004280299.tif 000009
【図９】
0004280299.tif 000010
【図１０】
0004280299.tif 000011
【図１１】
0004280299.tif 000012